(57)【要約】【課題】  液体を収容した容器に装着することにより容器開封時まで確実に密封状態を維持すると共に液漏れを確実に防止する構成を有し、開封後における容器内の汚染を防止するキャップを提供する。【解決手段】  液体収容部１２を有する容器本体１０に装着可能な基体部材７と、基体部材７に取付け可能なオーバーキャップ８と、その側面に薬液を外部へ導く溝部９１を有すると共に容器本体１０の密封状態を解除すべく容器本体１０の側へ押込可能な押込部材９と、薬液の流出は許容するよう基体部材７に設けた第一密接部材１１とを備え、さらに、フィルタ部材１０１と、空気の流入を許容すると共に薬液の流出を許容しない開口部１０２を有する逆止弁１０３とを設けた通気手段１００を備えており、通気手段１００は、容器本体１０の密封状態が解除されたのちに液体収容部１２と連通する位置に設けてある。【選択図】        図１
2005082234.tif 000002
【特許請求の範囲】
【請求項１】
液体を収容する液体収容部を有する容器本体に装着可能な基体部材と、
前記基体部材に取付け可能なオーバーキャップと、
前記基体部材に対して摺動自在となるよう前記基体部材に挿入保持され、その側面に前記液体を外部へ導く溝部を有すると共に、前記容器本体の密封状態を解除すべく前記オーバーキャップによって前記容器本体の側へ押込可能な押込部材と、
前記押込部材に対し外方から密接し、前記液体の流出は許容するよう前記基体部材の先端部分に設けた第一密接部材とを備え、さらに、
フィルタ部材と、外部からの空気の流入を許容すると共に外部への液体の流出を許容しない開口部を有する逆止弁とを設けた通気手段を備えており、
前記通気手段は、前記容器本体の密封状態が解除されたのちに前記液体収容部と連通する位置に設けてある汚染防止キャップ。
【請求項２】
前記逆止弁が、端部において相互に接触自在な一対のテーパー面を有すると共に前記端部に形成された開口部が各テーパー面の端部同士の接触によって閉塞されるダックビル型である請求項１に記載の汚染防止キャップ。
【発明の詳細な説明】
【技術分野】
【０００１】
本発明は、医療用点眼液を点眼自在に収容する医療用点眼容器（以下、単に「点眼容器」と称する）等に装着する汚染防止キャップに関する。
【背景技術】
【０００２】
従来の点眼具、特に医療用点眼液等の薬液の投与に使用される点眼具としては、例えば、中空円筒状に形成されると共に薬液を収容する液体収容部を有する容器本体に注液筒部を装着し、前記容器本体に装着するキャップも含めると点眼具全体として３部材から形成される、所謂３ピース型点眼具や、図８に示したように、ブロー成形や真空成形等により注液筒部６と容器本体１０とを一体に形成してある一体成形型点眼容器ＡにキャップＢを螺合或いは嵌合等により装着させる、所謂ボトルパック点眼具Ｘ等が汎用されている。
また、前記注液筒部の先端に前記注液口を設けた中栓部を装着するものも知られていた（例えば、特許文献１参照）。
このような点眼具Ｘの素材としては、成形の容易さ等から軟質の熱可塑性樹脂が用いられている。
【０００３】
この種の点眼具Ｘでは、点眼容器Ａ内の薬液を投与する場合、前記点眼容器Ａ（容器本体１０）の胴部２を二本の指先で把持して、前記点眼容器Ａの注液口６１ａが投与対象の眼に対面する投与姿勢に保持し、この姿勢を維持しつつ前記胴部２を容器軸線側に押圧操作することにより、注液口６１ａから薬液を滴下投与する。
【０００４】
上述した点眼具においては、点眼具開封後に注液口から薬液を滴下投与すると、投与した薬液の分だけ外部空気が点眼容器内部に流入する。このように外部空気を流入可能にした構成として、外気吸入用の均圧弁を設けた構成が知られていた（例えば、特許文献２）。これにより、薬液の滴下投与後に外部空気を取り込むことができるため、容器内の圧力を外部と平衡させることが可能となっていた。
【０００５】
また、液体を収容した容器において、このような外気吸入用弁の取付け位置が、液体注液口付近に設けられた構成（例えば、特許文献３〜４）、液体注液口の反対側に設けられた構成（例えば、特許文献５）が知られていた。
【０００６】
【特許文献１】実公昭３９−１１９９１号公報（第１〜２図）
【特許文献２】特開昭５１−１４６７８９号公報（７〜８頁、図４参照）
【特許文献３】実公昭１７−１１８５号公報（第１頁、第１〜３図参照）
【特許文献４】特開平４−３１２４６２号公報（第４頁、図１〜２参照）
【特許文献５】実開平１−１１０１４７号公報（実用新案登録請求の範囲、第２図参照）
【発明の開示】
【発明が解決しようとする課題】
【０００７】
薬液、特に医療用点眼液は、人体における特に鋭敏な器官である目に直接投与されるために、点眼時まで無菌状態に保つことが厳しく求められている。そのため、上述した点眼具の各部材は蒸気滅菌法やＥＯガス滅菌法等により滅菌した後、及び、薬液はメンブレンフィルタを用いた濾過滅菌法等により滅菌した後、厳格な条件の整った無菌室で無菌充填する必要がある。
【０００８】
上述した従来の点眼具における点眼容器（例えば、図８の一体成形型点眼容器）によれば、薬液を点眼容器に無菌充填した後、点眼容器にキャップを装着して点眼容器を封止することにより、外部の空気と点眼容器内部の薬液とが直接接触することを防止できるため、通常は、キャップの装着を解除して点眼する時まで前記薬液を無菌状態に保つことができる。
【０００９】
しかし、上述したように、点眼具開封後に注液口から薬液を滴下投与すると、投与した薬液の分だけ外部空気が点眼容器内部に流入する。この時、外部空気に含まれる微生物等により点眼容器内部の無菌状態が確保できなくなり、点眼容器内部が汚染される虞がある（点眼容器開封後の容器内部汚染）。
このような容器内部汚染を避けるために、薬液に予め防腐剤を添加した状態で点眼容器に収容する方法が汎用されている（薬液の防腐）。
【００１０】
一方、外部空気に含まれる微生物等の点眼容器内への取り込みを防ぐ試みもなされている。本発明は、この観点に立って為されたものである。
【００１１】
ここで、使用時まで点眼容器内部の薬液と外部空気との接触を防ぐため、薬液を流出させる前記注液口を予め設けない完全に一体化された密封点眼容器等、使用時まで密封状態を確実に維持できる点眼容器が汎用されているが、このような点眼容器に好適に装着可能なキャップがあれば望ましい。また、前記注液口を予め設けたとしても、使用時まで密封状態を確実に維持できるように構成してある点眼具であれば望ましい。
【００１２】
また、上述した特許文献２〜５における外気吸入用弁を設けた容器の構成によると、この弁は液体収容部に直接開口していた。そのため、この弁を設けた容器の輸送中等に容器が傾く等すれば、液体収容部内の液体が弁の開口部に触れる虞があった。
しかし、開封前における容器の密封が維持されているときであっても、外気吸入用の弁の開口部にはできるだけ液体が接触しない構成とするのが、液漏れを確実に防止する観点、及び、液体収容部内の液体を安定に保持する観点から好ましいと考えられる。
【００１３】
従って、本発明の目的は、液体を収容した容器に装着することにより容器開封時まで確実に密封状態を維持すると共に液漏れを確実に防止する構成を有し、開封後における容器内の汚染を防止するキャップを提供することにある。
【課題を解決するための手段】
【００１４】
（構成１）
上記目的を達成するための本発明に係る汚染防止キャップの第１特徴構成は、
液体を収容する液体収容部を有する容器本体に装着可能な基体部材と、
前記基体部材に取付け可能なオーバーキャップと、
前記基体部材に対して摺動自在となるよう前記基体部材に挿入保持され、その側面に前記液体を外部へ導く溝部を有すると共に、前記容器本体の密封状態を解除すべく前記オーバーキャップによって前記容器本体の側へ押込可能な押込部材と、
前記押込部材に対し外方から密接し、前記液体の流出は許容するよう前記基体部材の先端部分に設けた第一密接部材とを備え、さらに、
フィルタ部材と、外部からの空気の流入を許容すると共に外部への液体の流出を許容しない開口部を有する逆止弁とを設けた通気手段を備えており、  前記通気手段は、前記容器本体の密封状態が解除されたのちに前記液体収容部と連通する位置に設けてある点にある。
【００１５】
本発明の汚染防止キャップを、前記基体部材、前記オーバーキャップ、前記押込部材、前記第一密接部材、及び、前記通気手段により構成することにより、このキャップを、液体を収容した容器本体に装着すれば、容器開封時まで確実に密封状態を維持する構成とすることができる。これは、以下の理由による。
【００１６】
例えば、液体を収容する液体収容部を有する容器本体を密封状態の容器本体とし、この密封状態の容器本体に、基体部材を装着することによりキャップを装着し、使用する際には、基体部材に取付けられたオーバーキャップにより、押込部材を押込部材が容器本体の側へ押込まれていない非押込姿勢から押込部材が容器本体の側へ押込まれた押込姿勢へと姿勢変化させることにより容器本体の密封状態が解除されるため、容器本体に収容されている液体が容器本体から流出可能となる。
【００１７】
つまり、本発明の汚染防止キャップを密封状態の容器本体に装着した場合、未使用時には、押込部材を押込むという操作を行わないため、容器開封前の液体と外部空気との接触が阻止され、容器開封時まで確実に密封状態を維持することができる。そして、押込部材を押込むという操作によって、キャップは容器本体に嵌入され、確実に容器本体の密封状態を解除できる。
【００１８】
また、液体を収容した容器本体は、密封状態の容器本体に限らず、注液口を予め設けたとしても、押込部材を注液口に嵌入させる等して使用時まで密封状態を確実に維持できるように構成すれば、未使用時には、押込部材を押込むという操作を行わないため、容器開封前の液体と外部空気との接触が阻止され、容器開封時まで確実に密封状態を維持することができる。そして、押込部材を押込むという操作によって、キャップは容器本体に嵌入され、確実に容器本体の密封状態を解除できる。
【００１９】
そして、容器本体から流出した液体は、押込部材側面に設けられている溝部により外部へと導かれる。この時、液体が溝部以外の経路により外部に流出することを防止することができる。そのため、使用時における容器本体からの液漏れを抑制できる。
【００２０】
さらに、基体部材の先端部分に設けられ、押込部材に対し外方から密接状態にある第一密接部材と押込部材とは、溝部により導かれた液体の圧力により容易に離間するため、液体を外部に流出させることができるため、液体を容易に供することができる。
【００２１】
また、例えば、容器本体の胴部を押圧する等して容器本体の容積を減少させることにより液体を外部流出させる容器の場合、所望量の液体を外部流出させた後、容器本体の押圧を停止すると、容器本体自身の復元性等により形状が液体を外部流出する前の状態に戻ろうとする。この時、容器本体内部は陰圧となって流出した液体の分だけ外部空気が通気手段から液体収容部内部に流入するように構成する。このとき、通気手段にはフィルタ部材が設けられているため、容器開封後に外部空気に含まれる微生物等の容器内への取り込みを防ぐことができる構成となり、容器開封後における容器内汚染の防止が可能となる。
【００２２】
ここで、通気手段は、外部からの空気の流入を許容すると共に外部への液体の流出を許容しない開口部を有する逆止弁を設けているため、上述した外部空気の流入を開口部で行うことができ、容器内の圧力を外部と平衡させることが可能となる。さらに、この開口部は液体の流出を許容しないため、通気手段からの液体の漏洩を防止することができる。
【００２３】
さらに、通気手段は、容器本体の密封状態が解除されたのちに液体収容部と連通する位置に設けてあるため、開封前における容器本体の密封が維持されている状態であれば、通気手段と液体収容部とは連通しない。そのため、開封前に容器本体が傾いた姿勢になったとしても、通気手段の開口部に液体が接触しない構成とすることができる。そのため、液漏れを確実に防止するという観点、及び、液体収容部内の液体を安定に保持する観点から好ましい形態となる。
【００２４】
（構成２）
本発明に係る汚染防止キャップの第２特徴構成は、上記第１特徴構成に加えて、
前記逆止弁が、端部において相互に接触自在な一対のテーパー面を有すると共に前記端部に形成された開口部が各テーパー面の端部同士の接触によって閉塞されるダックビル型である点にある。
【００２５】
ここで、第一密接部材から液体を流出させるときに、上述したように容器本体を押圧操作する形態の容器本体に前記キャップを装着してある場合を例にして説明する。
この場合、液体が流出した後に押圧操作を停止すると、容器本体自身の復元性等により形状が液体を外部流出する前の状態に戻ろうとする。この時、容器本体内部は陰圧となって流出した液体の分だけ外部空気が液体収容部内部に流入する。
【００２６】
このとき、逆止弁をダックビル型とすると、この逆止弁は、端部において相互に接触自在な一対のテーパー面を有するため、液体の流出操作をしない通常時には、端部に形成された開口部が各テーパー面の端部同士の接触によって閉塞（閉状態）された状態となる。
【００２７】
そして、容器本体を押圧操作している間は、容器本体内部が陽圧となり、外部空気は液体収容部内部に流入しないため、流入する外部空気の圧力が各テーパー面の内側（図１：１０３ｂ）に作用せず、各テーパー面の端部同士の接触は解除されない（閉状態となっている：図５）。そのため、容器本体を押圧操作して液体を流出している間は、開口部は閉状態となっているため開口部から薬液が流出することはない。
【００２８】
一方、押圧操作を停止すると、流出した液体の分だけ外部空気が液体収容部内部に流入しようとするが、このとき、フィルタ部材を介して流入する外部空気が開口部に達すると、流入する外部空気の圧力が各テーパー面の内側（図１：１０３ｂ）に作用して端部同士の接触が解除される（図６）。そして、このとき開口部は開状態となり外部空気は液体収容部内部に流入する。
【００２９】
従って、本発明の第２特徴構成に記載の汚染防止キャップであれば、逆止弁１０３がダックビル型となっているため、液体流出時に容器本体を押圧操作するとき（容器本体内部は陽圧となる）には、開口部を閉状態とすることができる。
また、液体流出後、容器本体の押圧操作を停止して容器本体の形状が液体が流出する前の状態に戻ろうとするとき（容器本体内部は陰圧となる）には、流入する外部空気の圧力を好適に利用して開口部を開状態とすることができる。
そのため、液体流出動作に合わせて、タイミングよく外部空気の流入を許容すると共に外部への液体の流出を許容しない逆止弁とすることができる。
【発明を実施するための最良の形態】
【００３０】
以下、本発明の実施例を図面に基づいて説明する。
図１〜６に、主として医療用に用いられる点眼具Ｘ及びこの点眼具Ｘを構成する各部材の要部概略図を示す。この点眼具Ｘは、液体として主に医療用点眼液等の薬液を収容可能な容器本体１０を有する点眼容器Ａと、前記点眼容器Ａに着脱自在なキャップＢとから構成してある。
【００３１】
前記点眼容器Ａは、中空円筒状に形成されると共に薬液を収容する液体収容部１２を有する容器本体に注液筒部を装着したもの、或いは、ブロー成形や真空成形等により注液筒部と容器本体とを一体に形成してある一体成形型点眼容器等が汎用されている。
本実施例では、例えば図１に示したように、注液筒部６の先端に注液口６１ａを設けた中栓部６１を装着した点眼容器Ａを例示する。従って、本実施例では、容器本体１０と中栓部６１とを合わせたものが点眼容器（中栓付点眼容器）Ａとなる。
【００３２】
この点眼容器Ａは、内側に彎曲する円形状の底部１と、これの周縁に連なる中空円筒状の胴部２と、該胴部２の肩部分２ａに連続する円筒状の首部３と、該首部３の上側に連続する注液筒部６とを備えることにより構成してある。注液筒部６の外周には、雄ネジ６ａを備えてある。
【００３３】
点眼容器Ａの構成材料としては、ポリエチレン、ポリエチレンーポリプロピレン、ポリプロピレン、ポリエチレンテレフタレート、ポリカーボネート等の熱可塑性材料等があり、成形された点眼容器Ａ全体が弾性変形可能に構成してある。
【００３４】
ここで、注液筒部６の先端に中栓部６１を設ける構成は、ブロー成形や真空成形等を適用して注液筒部６に直接注液口６１ａを形成する場合に比べて製造コストが低くなる等の理由により汎用されている。そして、中栓部６１は、外部空気の流入を防止するため、注液筒部６と密着するように装着される。従って、後述のキャップにおける押込部材を注液口６１ａに嵌入させるように構成すれば、点眼容器Ａは点眼時まで密封状態を維持できる点眼具Ｘとなり、点眼時まで薬液を確実に無菌状態に保つことができる。
【００３５】
尚、点眼時まで密封状態を維持できる点眼具Ｘとは、注液筒部６において注液口を予め設けてキャップの部材により注液口を塞ぐ構成とする形態に限らず、注液口に栓をする形態、注液筒部６において注液口を予め設けない構成とする形態としてもよく、使用時まで密封状態を確実に維持できるものであれば何れの構成であってもよい。
【００３６】
前記キャップＢは、容器本体１０（点眼容器Ａ）の雄ネジ６ａに着脱自在に螺合するように構成してある。キャップＢの概要を以下に示す。
【００３７】
つまり、前記キャップＢは、図１に示したように、薬液を収容可能な容器本体１０に装着可能な基体部材７と、基体部材７に取付け可能なオーバーキャップ８とを備える。また、基体部材７に対して摺動自在となるよう基体部材７に挿入保持され、その側面に薬液を外部へ導く溝部９１を有すると共に、点眼容器Ａの密封状態を解除すべくオーバーキャップ８によって点眼容器Ａの側へ押込可能な押込部材９と、押込部材９に対し外方から密接した状態で基体部材７の先端部分７７に設けた第一密接部材１１とを備えている。
【００３８】
さらに、キャップＢは通気手段１００を備えており、通気手段１００は、フィルタ部材１０１と、外部からの空気の流入を許容すると共に外部への薬液の流出を許容しない開口部１０２を有する逆止弁１０３とを設けている。
以下にキャップＢの各部材の構成を詳述する。
【００３９】
（基体部材）
基体部材７は、薬液を収容している容器本体１０（点眼容器Ａ）に装着可能に構成してある。そのため、基体部材７の内周部分（点眼容器Ａに装着する側）には、雄ネジ６ａに螺合自在なネジ溝部７１が形成されている。
【００４０】
また、基体部材７には、好適な実施の形態の一例として、基体部材７の軸芯方向に貫通する第一連通孔７２を有すると共に、第一連通孔７２と連通して第一連通孔７２より大径の空間部７３を有する構成とすることが可能である。後述の押込部材９は、第一連通孔７２及び空間部７３を経ることにより基体部材７を貫通している。
【００４１】
また、基体部材７には、後述のオーバーキャップ８を装着するための基体部材第一凸状部７４を外表面に設け、さらに、押込部材９が押込姿勢となった時に、この押込姿勢を確保するために、基体部材７の内周壁に基体部材第二凸状部７６を設けることが可能である。
【００４２】
基体部材７の構成材料としては、ポリプロピレン、及び、ポリエチレン等とすることが可能である。
【００４３】
尚、基体部材７と点眼容器Ａとの装着は螺合する装着方法に限らず、嵌合する装着方法も適用可能である。この時、雄ネジ６ａに該当する部位と、ネジ溝部７１に該当する部位には、嵌合装着可能な構成（例えば凸状部を設ける）が適宜適用可能である。
【００４４】
また、後述の第一密接部材１１の基体部材７側への変形を抑制する突出部７９を基体部材７の先端部分に分散配設するのが好ましい。そして、突出部７９は、第一密接部材１１に近接配置して構成するのが好ましい（図１、３参照）。
【００４５】
押込部材７を押込姿勢にした際に、押込部材７と第一密接部材１１との摩擦により、第一密接部材１１が基体部材７側へ変形する虞がある。しかし、第一密接部材１１が基体部材７側へ変形した場合、突出部７９が基体部材７の先端部に分散配設してあれば、第一密接部材１１と突出部７９とが基体部材７の先端部分の周囲に亘ってほぼ均等に当接することになる。そのため、第一密接部材１１が変形したとしても、いびつな変形を起こし難くなる。従って、薬液の偏った流出を防止することができる。
さらに、突出部７９が第一密接部材１１に近接配置してあれば、第一密接部材１１が基体部材７側へ変形しようとした場合、直ちに第一密接部材１１と突出部７９とが当接して第一密接部材１１の動きを止めることができる。そのため、第一密接部材１１が変形したとしても、軽微な変形に抑えることができる。
【００４６】
（オーバーキャップ）
オーバーキャップ８は基体部材７に取付け可能に構成してある。基体部材７への取付けは、螺合や嵌合等の方法により実施することができる。この時、基体部材７の外表面には、オーバーキャップ８の螺合或いは嵌合装着に対応可能なようなネジ溝部、或いは凸状部を形成する。本実施例では嵌合装着可能にするため、基体部材７外表面に基体部材第一凸状部７４、及び前記オーバーキャップ８の内側に内側凸状部８１、８３をそれぞれ設けている。
【００４７】
また、オーバーキャップ８の好適な実施の形態の一例として、キャップ体８ａと、当該キャップ体８ａから切り取り除去される切取部８ｂで形成され、切取部８ｂを除去した後、キャップ体８ａを押込んだ際にキャップ体８ａが基体部材７に当接可能に構成することが可能である。
【００４８】
つまり、キャップ体８ａと切取部８ｂとで形成されるオーバーキャップ８が基体部材７に取付けられており、この時、オーバーキャップ８及び押込部材９は点眼容器Ａ側へ押込まれない非押込姿勢に保たれている。そして、切取部８ｂを前記キャップ体８ａから切り取ることにより除去し（図２（イ））、その後、キャップ体８ａを点眼容器Ａ側に押込まれる押込姿勢へと姿勢変化させる（図２（ロ））ことにより、キャップ体８ａが基体部材７に当接して、押込部材９が必要以上に押込まれるのを防止することができる。
【００４９】
また、オーバーキャップ８は、少なくとも後述の第一密接部材１１を含む基体部材７の一部を覆うように基体部材７に取付けることが好ましいため、中空円筒状が好適な形態である。
さらに、オーバーキャップ８は、後述の通気手段１００に設けられているフィルタ部材１０１を覆うように基体部材７に取付けると、開封時まで通気手段１００が微生物等に汚染されるのを防止することができる。
【００５０】
オーバーキャップ８の構成材料としては、ポリプロピレン、及び、ポリエチレン等とすることが可能である。
【００５１】
オーバーキャップ８の先端の内壁には、押込部材９を押し込んだ押込姿勢のときに、押込部材９に当接して押込部材９を係止させるオーバーキャップ凸部８２を設けることが可能である。
【００５２】
（押込部材）
押込部材９は、基体部材７に対して摺動自在となるよう基体部材７に挿入保持されている。また、押込部材９は、その側面に液体を外部へ導く溝部９１を有している。この溝部９１は、押込部材９側面に１本、或いは複数本設けることが可能である。上述したように、押込部材９は基体部材７の第一連通孔７２及び空間部７３を経て貫通しているが、この時、溝部９１が確保されるように押込部材９を基体部材７の内周側と当接させる。
【００５３】
従って、押込部材９は、例えば、図１及び図４等に示したように、第一連通孔７２と当接する棒状の軸芯部９ａと、空間部７３を形成する基体部材７の内周壁に当接する突起部９ｂとを有する形状とすることが可能である。この突起部９ｂは、後述の通気手段１００に当接しないように設ける。
【００５４】
そして、点眼容器Ａの密封状態を解除するために、オーバーキャップ８を点眼容器側に押込むと（図２参照）、押込部材９はオーバーキャップ８と共に点眼容器側に押込まれる（押込姿勢）。この時、押込部材９は、点眼容器Ａの注液筒部６の先端に設けた中栓部６１へ押圧され、中栓部６１の注液口６１ａ内周面をスライド移動する。この時、溝部９１が、薬液が含まれる点眼容器内部の空間（液体収容部１２）と連通すると、密封状態を解除することができる。そして、液体収容部１２に収容されている薬液は、溝部９１から流出可能となる。
【００５５】
ここで、押込部材９の形状として、点眼容器Ａの側の一端部を針状に形成したものを例示してある。このように構成することで、注液筒部６の先端に設けた中栓部６１に注液口６１ａが設けられていない完全密封容器の場合であっても、中栓部６１に穿孔を生じ易くして点眼容器Ａの密封状態を容易に解除することができる。
また、この針状部分の径は小さい方が好ましく、実際には、φ１ｍｍ〜φ３ｍｍ程度の範囲とする。
この際、注液筒部６に先端側ほど内径が大となる有底円錐状の凹部を窪み形成しておくと、穿孔によって生じる注液孔の形状や大きさを均一にすることができる。
【００５６】
さらに別の形態として、注液口６１ａに栓をすることにより密封状態が保たれている形態の容器である場合、押込部材９はこの栓を除去可能な形態を適用する。具体的には、押込部材９の点眼容器Ａ側の一端部が扁平な形状になるように成形することが可能である。そして、押込部材９を押込んだ際にこの栓を点眼容器Ａ内部に押込んで注液筒部６から除去できるため、点眼容器Ａの密封状態を容易に解除することができる。
【００５７】
押込部材９の構成材料としては、点眼容器Ａの密封状態を解除するために相応しい材料、例えば、点眼容器Ａより丈夫な熱可塑性樹脂等が適用可能である。
【００５８】
（第一密接部材）
第一密接部材１１は、押込部材９に対し外方から密接した状態で基体部材７の先端部分７７に固定してある。しかし、第一密接部材１１は、押込部材９に対しては単に密接しているだけで固定されていない。従って、第一密接部材１１と押込部材９とは容易に離間可能に構成してある。（図５参照）。
つまり、第一密接部材１１は、薬液の流出は許容するように基体部材７の先端部分７７に設けられている。
また、第一密接部材１１は、変形容易なゴム等の弾性材により形成されるのが好ましい。
【００５９】
この時、第一密接部材１１と押込部材９と基体部材７とで囲まれた空間である第二空間部１３を設けてあると、薬液を、外部に流出する前にこの第二空間部１３で一時貯留することができる。
【００６０】
ここで、第一密接部材１１の基体部材７側への変形を抑制する突出部７９を、基体部材７の先端部に分散配設してあり、かつ、突出部７９は、第一密接部材１１に近接配置してある場合、突出部７９どうしの間と第一密接部材１１と押込部材７とで囲まれた空間は、大空間部となっている。一方、突出部７９は、第一密接部材１１に近接配置してあるため、突出部７９と第一密接部材１１と押込部材とで囲まれた空間は、小空間部となっている。
そのため、薬液を一時貯溜することができる空間を大空間部と小空間部とで確保することができる。
【００６１】
また、薬液の切れを良くして１滴量を一定（１滴量当たり２５〜５０μＬの範囲内）にするため、第一密接部１１と押込部材９とが密接する部位の外方側において、環状凸部１１ａを設けることが好ましい。
【００６２】
（通気手段）
通気手段１００は、フィルタ部材１０１と、外部からの空気の流入を許容すると共に外部への液体の流出を許容しない開口部１０２を有する逆止弁１０３とを備えている。
【００６３】
フィルタ部材１０１は、外部空気に含まれる微生物等の汚染源の侵入を許容しないように構成するのが好ましい。例えば、微生物の侵入を防止するために通常用いられているものであれば特に限定されるものではなく、酢酸セルロース、硝酸セルロース、テフロン（登録商標）、ポリエチレン等からなる高分子膜や、セラミック等の多孔質焼結体が使用可能である。このとき、これら高分子膜や焼結体の平均粒子径孔径は、０．４５μｍ以下が好ましく、特に、０．２２μｍ以下が好ましい。
【００６４】
そして、フィルタ部材１０１は、例えば、開口部１０２の外側に設けることが可能である。このように構成すると、通気手段１００から吸い込まれる外部空気はフィルタ部材１０１を経由するため、点眼容器Ａの密封が解除された後であっても、容器本体内にある薬液の汚染を防止することができる。
【００６５】
また、前記逆止弁１０３は、例えば、開口部１０２を押込部材９側に設けられるダックビル型の構成とする（つまり、各テーパー面１０３ａの端部が押込部材９側で接触する）のが好ましい。このとき、ダックビル型の逆止弁１０３は、端部において相互に接触自在な一対のテーパー面１０３ａを有しており、点眼操作をしない通常時には、端部に形成された開口部１０２が各テーパー面１０３ａの端部同士の接触によって閉塞（閉状態）されている。
【００６６】
点眼動作の際には、点眼容器Ａ（容器本体１０）の胴部２を二本の指先で把持して胴部２を容器軸線側に押圧操作する。この押圧操作により点眼容器Ａ内部は陽圧となるため、薬液は溝部９１を経由して第一密接部材１１の内側（第二空間部１３）に達し、この薬液の圧力によって第一密接部材１１と押込部材９とは容易に離間可能となるため、薬液が第一密接部材１１から流出して滴下投与される。
薬液を滴下投与した後、押圧操作を停止すると、点眼容器Ａ自身の復元性等により形状が前記薬液を滴下投与する前の状態に戻ろうとする。この時、点眼容器Ａ内部は陰圧となって投与した薬液の分だけ外部空気が液体収容部１２内部に流入する。
【００６７】
ここで、点眼容器Ａ（容器本体１０）の胴部２を押圧操作している間は、点眼容器Ａ内部が陽圧となる。このとき、外部空気は液体収容部１２内部に流入しないため、外部空気の圧力が各テーパー面１０３ａの内側１０３ｂ（フィルタ部材１０１側）に作用せず、各テーパー面１０３ａの端部同士の接触は解除されない（閉状態となっている：図５参照）。そのため、点眼容器Ａの胴部２を押圧操作して薬液を滴下投与している間は、開口部１０２は閉状態となっているため開口部１０２から薬液が流出することはない。
【００６８】
一方、押圧操作を停止すると、投与した薬液の分だけ外部空気が液体収容部１２内部に流入しようとする。このとき、フィルタ部材１０１を介して流入する外部空気が開口部１０２に達すると、流入する外部空気の圧力が各テーパー面１０３ａの内側１０３ｂ（フィルタ部材１０１側）に作用して端部同士の接触が解除される。そして、このとき開口部１０２は開状態となり（図６参照）外部空気は液体収容部１２内部に流入する。
【００６９】
従って、逆止弁１０３を前記ダックビル型とすることにより、薬液投与時に点眼容器Ａの胴部２を押圧操作するとき（点眼容器Ａ内部は陽圧となる）には、開口部１０２を閉状態とすることができる。
また、薬液投与後、点眼容器Ａの胴部２の押圧操作を停止して点眼容器Ａの形状が薬液を滴下投与する前の状態に戻ろうとするとき（点眼容器Ａ内部は陰圧となる）には、流入する外部空気の圧力を好適に利用して開口部１０２を開状態とすることができる。
そのため、点眼動作に合わせて、タイミングよく外部空気の流入を許容すると共に外部への薬液の流出を許容しない逆止弁１０３とすることができる。
【００７０】
また、通気手段１００は、点眼容器Ａの密封状態が解除されたのちに液体収容部１２と連通する位置に設けてある。
具体的には、通気手段１００を設ける位置としては、例えば、空間部７３を形成する基体部材７の内周壁に設ける。
この場合、押込部材９が非押込姿勢のとき（点眼容器Ａの密封状態は解除されていない）、溝部９１は、薬液が含まれる液体収容部１２と連通していない状態である（図２（イ）参照）。
一方、押込部材９が押込姿勢のとき（点眼容器Ａの密封状態は解除されている）、溝部９１は、薬液が含まれる液体収容部１２と連通する状態となる（図２（ロ）参照）。つまり、溝部９１を介して通気手段１００は、液体収容部１２と連通する。
【００７１】
従って、開封前における点眼容器Ａの密封が維持されている状態であれば、点眼容器Ａが傾いた姿勢になったとしても、開口部１０２に薬液が接触しない構成とすることができる。そのため、液漏れを確実に防止するという観点、及び、液体収容部内の液体を安定に保持する観点から好ましい形態となる。
【００７２】
このような位置に設けてある通気手段１００は、基体部材７に着脱自在に設けることが可能である。
【００７３】
また、通気手段１００は薬液を貯溜可能な貯溜部１０４を設けており、貯溜部１０４の体積が、少なくとも、薬液が第１密接部材１１から流出したときの１滴量と同等以上となるように構成するのが好ましい。
【００７４】
このように貯溜部１０４を設けた構成とすれば、初回の点眼時に液体収容部１２から溝部９１を経由した薬液は、この貯溜部１０４に一旦貯溜された後に第一密接部材１１から流出する。点眼後には、この貯溜部１０４に薬液が残存する。
そして、次回の点眼時に点眼容器Ａの胴部２を押圧操作すると、貯溜部１０４の残存液体は、液体収容部１２から溝部９１を経由した薬液の圧力により貯溜部１０４を押し出されて第一密接部材１１から流出する。
【００７５】
ここで、液体収容部１２の薬液が、液体収容部１２―溝部９１―貯溜部１０４―第１密接部材１１（第１経路）を経て外部へ流出するときと比べて、貯溜部１０４の薬液が、貯溜部１０４―第１密接部材１１（第２経路）を経て外部へ流出するときの方が、薬液流出経路は短くなる。
従って、通気手段１００に薬液を貯溜可能な貯溜部１０４を設けた構成とすれば、次回以降の点眼時には、初回の点眼時と比べて迅速に薬液を滴下投与することができる。
【００７６】
また、貯溜部１０４の薬液の一部が溝部９１を経て液体収容部１２に戻った場合においても、次回点眼時には、貯溜部１０４の残存液体に液体収容部１２の薬液が追加されて滴下するため、貯溜部１０４に残存液体が存在しない初回の点眼時と比べて迅速な点眼が実現する。
【００７７】
この時、貯溜部１０４の体積が、少なくとも、薬液が第１密接部材１１から流出するときの１滴量と同等以上であれば、１回の点眼に必要な薬液量を迅速に供給することができる。具体的には、上述したように１滴量を２５〜５０μＬの範囲内に設定したときには、前記体積は、２５〜５０μＬ以上とするのが好ましい。
【００７８】
上述したように、逆止弁１０３は開口部１０２を押込部材９側に設けられるダックビル型とするものを例示した。このとき、ダックビル型逆止弁１０３の開口部１０２を、押込部材９に近設するように設けるのが好ましい。
このように構成すると、例えば、点眼後に薬液が貯溜部１０４に貯溜された状態で点眼容器Ａを横置きで保管するときにおいて、通気手段１００のフィルタ部材１０１が下向きであるときは、開口部１０２を押込部材９に近設するように設けてあれば、開口部１０２が薬液に浸漬し難くなる形態となる。
【００７９】
以上のようにキャップＢは、基体部材７、オーバーキャップ８、押込部材９、第一密接部材１１、及び、通気手段１００の各部材より構成してある。そのため、キャップＢは、使用時まで密封状態を確実に維持できる点眼容器に装着可能となる。
【００８０】
つまり、上述した構成を有する点眼容器Ａ及びキャップＢから成る点眼具Ｘを使用する際には、オーバーキャップ８を点眼容器Ａ側に押圧して押込部材９を非押込姿勢から押込姿勢へと姿勢変化させることにより点眼容器Ａの密封状態が解除される。この時、溝部９１が薬液が含まれる液体収容部１２の空間と連通することにより点眼容器Ａの密封状態が解除される。これにより点眼容器Ａに収容されている薬液は点眼容器Ａから流出可能となる。従って、点眼容器Ａの密封状態は、押込部材９を押込むという単純な操作により容易に解除することができる。
【００８１】
そして、オーバーキャップ８を基体部材７から離脱させた状態で、点眼容器Ａの胴部２を指等により押圧することにより、点眼容器Ａから薬液を流出させる。点眼容器Ａから流出した薬液は、押込部材９に設けられている溝部９１により外部へと導かれる。この時、薬液は溝部９１以外の経路により外部に流出することがないため、点眼容器Ａからの液漏れを防止することができる。
【００８２】
さらに、溝部９１により導かれた薬液は第二空間部１３において一時貯留され、薬液が第二空間部１３に充満すると、薬液の圧力が陽圧となって密接状態にある第一密接部材１１と押込部材９とは容易に離間し、薬液が外部に流出する（図５）。
【００８３】
また、所望量の薬液を外部流出させた後、点眼容器Ａの胴部２の押圧を停止すると、点眼容器Ａ自身の復元性等により形状が薬液を滴下投与する前の状態に戻ろうとする。この時、点眼容器Ａ内部は陰圧となって投与した薬液の分だけ外部空気が通気手段１００から液体収容部１２内部に流入する。このとき、通気手段１００にはフィルタ部材１０１が設けられているため、点眼容器開封後に外部空気に含まれる微生物等の点眼容器内への取り込みを防ぐことができる構成となり、容器開封後における容器内汚染の防止が可能となる。
【００８４】
〔別実施例１〕
上記実施例の構成において、基体部材７を、第一基体部材７ａと第二基体部材７ｂとで構成することが可能である（図７参照）。
このとき、第一基体部材７ａと第二基体部材７ｂとを相対回転自在に構成できる。そして、例えば、通気手段１００を第一基体部材７ａに装着してある場合、点眼時等において、第一基体部材７ａを第二基体部材７ｂに対して相対回転させることにより、開口部１０２が薬液に浸漬し難くなる位置等、開口部１０２（通気手段１００）が所望の位置にくるように調節することができる。
【図面の簡単な説明】
【００８５】
【図１】本発明のキャップと容器本体とが螺合一体化した状態を示す概略図
【図２】非押込姿勢から押込姿勢へと姿勢変化させた時の概略図  （イ）非押込姿勢（オーバーキャップから切取部を除去）  （ロ）押込姿勢（キャップ体が基体部材に当接）
【図３】基体部材の先端部分に分散配設された突出部の概略図
【図４】押込部材の概略図
【図５】点眼時において、薬液が滴下する時の要部概略図
【図６】外部空気流入時の要部概略図
【図７】基体部材を第一基体部材と第二基体部材とで構成した時の要部概略図
【図８】従来の点眼具の断面概略図
【符号の説明】
【００８６】
７        基体部材
８        オーバーキャップ
９        押込部材
１０      容器本体
１１      第一密接部材
１２      液体収容部
９１      溝部
１００    通気手段
１０１    フィルタ部材
１０２    開口部
１０３    逆止弁
【図１】
2005082234.tif 000003
【図２】
2005082234.tif 000004
【図３】
2005082234.tif 000005
【図４】
2005082234.tif 000006
【図５】
2005082234.tif 000007
【図６】
2005082234.tif 000008
【図７】
2005082234.tif 000009
【図８】
2005082234.tif 000010